(57)【要約】【課題】ポリマー製ステントであって、その装着を容易にする有意な長手方行の可撓性と当該ステントの圧壊に抵抗するための有意なフープ強度との組合せを有するポリマー製ステントを提供する。【解決手段】熱可塑性プラスチック材料から作成された胆管ステントであって、当該ステントの外側表面に沿って形成され螺旋形の螺子山状構造を提供する山と谷を備えた胆管ステントの供給装置である。供給装置はチューブ状ステントの内側表面と係合するように選択的に拡張可能な外側表面を含む。更に、外側表面には、供給中にステントとのより確実な係合を提供するために、ステントの全長に亘って延在する螺旋状螺子山で画成された山と谷と一致する山と谷が含まれている。【選択図】  図１
2007500584.tif 000002
【特許請求の範囲】
【請求項１】
チューブ状ステントの供給装置であって、前記チューブ状ステントの内側表面と摩擦係合するように可撓性かつ選択的に拡張可能な外側表面と前記外側表面を介して挿入して拡張させる挿入可能な楔部材とを含む
ことを特徴とする供給装置。
【請求項２】
チューブ状ステントの供給装置であって、長さに沿ってスロットを有する拡張可能なシリンダを含み、前記シリンダは、前記シリンダを大きなプロファイルの形状に拡張させて前記ステントの内側表面と係合させるために用いられる楔形状体を選択的に受け入れる
ことを特徴とする供給装置。
【請求項３】
チューブ状ステントの供給装置であって、前記チューブ状ステントの内側表面と係合するように選択的に拡張可能な可撓性スリーブである外側表面を含む
ことを特徴とする供給装置。
【請求項４】
チューブ状ステントの供給装置であって、前記チューブ状ステントの内側表面と係合するように選択的に拡張可能な螺旋状スプリングである外側表面を含む
ことを特徴とする供給装置。
【発明の詳細な説明】
【技術分野】
【０００１】
本出願は２００３年６月１２日付け出願の米国予備的特許出願第６０／４７８，０５０号の利益を請求するものであり、当該出願の主題は２００１年６月１２日に米国特許商標庁に受理され開示文書番号４９５５２０が割り当てられている開示文書に関連している。上記出願及び開示の教示全体は参照により本出願に含まれる。
本発明はステント及びステント供給装置に関連し、さらに詳しくは胆管で使用するのに適した装置に関する。
【背景技術】
【０００２】
胆管用ステントは、長年にわたって、内視鏡を通る供給カテーテルの上に登載して胆管の中へ前進させることができ、そこで展開されるポリマー・チューブの形で作成されてきた。管状ステントは圧壊に抵抗して消化液が消化管へ流出できるように開放腔を維持するのに充分な強度を備えるように選択される。このようなステントにおいて望ましい特徴の中には、急角度の屈曲を含む経路に沿って前進させられるように長軸方向には可撓性をもたせることが挙げられる。ステントはまた胆管内で所定位置から移動することなく意図された位置を維持しなければならない。
【発明の開示】
【発明が解決しようとする課題】
【０００３】
ポリマー製管状ステントは、典型的には、伸縮する内側チューブと外側チューブを含むカテーテル状装置により配置され、ステントは内側チューブの先端に装着され外側チューブの先端はステントの基端と係合する。ステントを胆管内の意図された展開位置まで前進させ操作した後で、外側チューブはその位置に維持したままで内側チューブを後退させることにより胆管内部にステントを留置する。一般に、このようなステントにはステントの端部各々に保持部材が設けてある。最も一般的な保持装置としては、チューブの全長に沿って斜め方向のスリットを作ることで形成される１個又はそれ以上の（４個から８個が一般的）保持タブを設けることが挙げられる。各スリットはタブを画成しそのタブがチューブの外側表面からわずかに半径方向外向きに突出できるようにして胆管の管腔表面と係合させることで移動を防止するようになっている。ステントの対向する端部にあるタブはステントの中央部に向かってまた半径方向外側に向かって延出する。タブを形成するスカイブ（ｓｋｉｖｅ）によって画成される開口部はステントを通過する流れを制限しようとする障害物に発展することがある細胞又はその他の材料からなるステント内部へのアクセスを提供する。また従来のポリマー製ステントで見られる問題点の中には、場合によっては医師が胆管内の狭窄部を通してステントを押し込むことができないということが挙げられる。本発明の一般的な目的は、ポリマー製ステントであって、その装着を容易にする長手方向に有意な可撓性と当該ステントの圧壊に抵抗するための有意なフープ強度（ｈｏｏｐ  ｓｔｒｅｎｇｔｈ）との組合せを示すポリマー製ステントを提供することである。また本発明の目的は胆管内でステントの位置を固定する新規なアプローチを提供すると同時に、狭い狭窄部を通してステントを前進させることができる手段の改良を提供することである。
【課題を解決するための手段】
【０００４】
ステントは比較的剛性の熱可塑性プラスチック製ポリマーのチューブから形成されてその外側表面に沿って山と谷を含む。山と谷は螺旋状であり螺子山状の形状を形成する。山と谷はチューブの外側表面の熱可塑性変形によって形成される。山と谷の寸法は異なる特性のステントを提供するように変更が可能である。ステントの基端部及び先端部には山又は谷を設けないのが望ましい。先端部はテーパを付けて先細として胆管内への進入を容易にする。さらに、ステントの先端部は胆汁の入口として機能するので、細長い形状を有し当該液体の進入のために広い開口を提供する。本装置は現在行なわれているように、胆管納の所望の位置まで押し込むことにより装着され、又は本発明によればステントを回転させ螺旋状の山と谷を螺子山のように使って胆管狭窄部を通ってステントを前進させることができる。山は胆管壁と係合してステントを所定位置に固定する。
【０００５】
本発明の一般的な目的は特に胆管で使用するステントの改良を提供することである。また特に本発明の目的は、胆管で使用するステントを提供すること、この場合当該ステントはポリマー材料から容易に製造されステントの特性を簡単に変更できる構造を有することを特徴とし；非常に可撓性が高く、かつステントの一般的構造を変更することなく製造中に可撓性を制御することが可能なステントを提供すること；また所定位置へ押し込むことによるか、又は胆管狭窄部を通してねじ込むことにより所定部位まで前進させることが可能なステントを提供することである。
【０００６】
本発明の別の目的は螺旋形の山型形状を利用してステントの供給又は抜去中に確実な係合を提供するステント用の供給装置を提供することである。
【発明を実施するための最良の形態】
【０００７】
図１は基端１２と先端１４とを有するステント１０の実施例を側面図で示す。ステントは、Ｖｉｃｔｒｅｘ社から商標名ＰＥＥＫ（登録商標）として市販されているポリマーのチューブから形成される。このポリマーはポリエーテルエーテルケトンで、これは直鎖芳香族半結晶ポリマーである。例として、胆管用ステントとして使用するため、ＰＥＥＫチューブは４ないし１５センチメートル程度の長さで、外径が約５ないし１１フレンチ（０．１６３センチメートルから０．３５８センチメートル）（０．０６５インチから０．１４３インチ）となることがある。このチューブの肉厚は約０．０１２５センチメートル（約０．００５インチ）程度である。ＰＥＥＫ材料は、熱可塑性であり、引き抜き成形されたチューブ状構造から図１に図示した構造に形成され、チューブの長さの少なくとも一部が円周方向に延在する外側の山１６とこれと互い違いの谷１８とを画成する。好ましくは、山は螺旋形の螺子山状のパターンに形成されるようにする。
【０００８】
山１６と谷１８は、元となるチューブの外側表面に加熱した工具を当てつつチューブを回転させ、回転するチューブの長さに沿って工具を前進させることにより形成する。図４及び図５は模式的に、ステントを作成する簡易技術を示したもので、この場合、略円錐形の形状で加熱された尖端２０を、ハンダ鏝の端部に装着する等してチューブの外側表面に当てつつチューブを回転させる。熱形成工具２０の熱と圧力により熱可塑性チューブが工具の当たっている局所で流動性になり、これによってチューブの外側表面に谷と山を形成する。最初にＰＥＥＫチューブの内径より小さい外径を有するマンドレルに元となるチューブを装着しておくことによって、チューブの内側表面にも外側表面の山と谷に対応する山と谷を含むようにチューブを作成することは可能であることが判った。例として、元となるチューブの内径より約０．０２５センチメートル（約０．０１０インチ）小さい外径を有する円筒状マンドレル２２上にチューブ２１を装着することで（図６参照）、内側と外側で山と谷の構造が得られることが判った。チューブの内側表面も、軸方向に前進する熱形成工具の直後におけるポリマーの局部的冷却の結果として、山と谷を形成すると考えられる。マンドレルの外径とチューブ内径との間の間隙が、このようにチューブが冷却して形成する能力に寄与すると思われる。
【０００９】
熱形成工具の形状と、工具がＰＥＥＫチューブの外側表面に適用される進入深さを変化させることによりステントの特性を変化させることができる。さらに、チューブが回転する速度および／または工具がチューブの長さに沿って前進する速度も同様に変化させることによりステントの特性を変化させることができる。深めの溝１８では壁厚が薄くなり、大きな可撓性が得られる。同様に、山１６のピッチを変化させることでステントの特性を変化させることができる。理解されるように、チューブの単位長あたりの螺子山の個数を増加させることで回転によるステントの位置を微妙に調整する能力が増加し、逆にチューブの単位長あたりの螺子山の個数を減少させればステントの位置を微妙に調整する能力が減少する。螺子山の密度はステントによって係合される管腔壁の特定の特性にあわせて調節することが可能である。例として、比較的剛性の管腔壁では螺子山密度の高いステントの使用が可能である。比較的可撓性のある又は折り畳み可能な管腔壁では、好ましい螺旋形状を有する螺子山が確実に管腔壁と係合して回転によるステントの前進が可能となることを確実にするのに、ステントにはより低い密度とより大きな螺子山が要求される。
【００１０】
元となるチューブの基端部は山と谷を含むように形成されないようにすることが好ましい。ステントの基端部は図２に図示してあるような構成と寸法に形成し、端部は幾分角を取るか丸めてある。丸めは多数の方法で行なうことができ、たとえばチューブ内部に丸めた端部を有するマンドレルを入れチューブを回転させつつチューブを基端部を加熱して丸めた端部を形成する等が考えられる。別の可能なアプローチとしては、チューブを回転させつつ、基端部に対して保持されたハンダ鏝の尖端で基端部を丸めることである。更に別のアプローチは、チューブを回転させつつ、基端部に対してある角度で保持したナイフを用いることである。先端部には、同様な形状の尖端を提供し、図３に図示したような寸法形状とこれに代えて、尖端部１４に略先細の形状を有する変形型尖端部２４を提供して乳頭部を通り胆管内への進入を容易にするのが望ましい。先端部の尖端は、先端開口部２６（図７）を設けこれを細長く略楕円形の形状に構成することもできる。細長い先端開口部は管腔の横断面より大きな入口開口部を提供することによりステント内への胆汁の流入を容易にする。その目的のために、ではチューブの先端部に斜めカット２８を形成し細長い入口開口部２６を露出する。先端部尖端はまた参照番号３０で示したように対向する側面を傾斜面にするか、さもなければ何らか先細にすることもできる。
【００１１】
ステントには先端部と基端部の一方又は両方にマーカー帯３２を装着することができる。マーカー帯３２は金又はその他の適切なＸ線不透過性材料から形成できる。環状の溝を端部１２，１４の一方又は両方に熱形成しＸ線不透過性マーカー帯をこれらの溝の中に固定する。山１６と溝１８は実質的にステントの全長にわたって形成されるか、又は選択された部分のみ、例えば、ステントの両端部付近に沿ってのみ形成しておき中間部は元のチューブ状のままにしておくことができる。逆に、中央部分にだけ山と谷を設けることも可能である。更には、山１６と溝１８はステントの長さに沿って散在する選択されたグループに配置して特定の必要性又は特定の解剖学的形状に合わせた剛性及び可撓性の特性を実現することができる。谷と山は間欠的に熱形成工具を抜去し適用することにより、完全な円環状のリング又は完全な螺旋状にするのではなく、円周方向に分割された部分となるように作成することが可能である。さらに、ステントに変化する可撓性を有する特性を提供するために、山のピッチと谷の深さをステントの任意の部分に沿って又はステントの全長に沿って変化させることが可能である。ステントは従来の押し込み技術によって、又はステントの基端と係合できるステント係合部材を備えた回転可能な供給カテーテルに装着することによってのいずれかにより、胆管内に配置できる。図８はステント１０の基端部内に受け入れられ楔３６により基端部で管腔内面に対して確実に拡張された拡張可能なカラーの形をしたステント係合部材３２を有するカテーテル３０を示す。ステント１０はカテーテル３０によって胆管内の選択された部位まで前進する。次に、楔３０が基端側に後退してステント１０から係合部材３２の摩擦係合を解除する。次に、ステント１０は従来の押し込み技術を用いて開放される。別の実施態様においてステントが胆管内に前進した際、別の供給装置（図示していない）を回転させて胆管の障害部分を通ってのステントの導入を容易にすることができる。この目的のために、ステントを螺子のように障害部分を通って前進させることができる螺旋状パスを画成するように山と谷を形成するのが好適である。ステントは所望の位置に配置されたら供給装置から開放することができる。
【００１２】
山が胆管の内側表面と係合して所定位置にステントを固定することができる。更に、螺旋形パスによって画成された場合のように谷１８が連続している場合にはステントの外側表面と胆管壁の間ならびにステントそれ自身を通って胆汁が流出することが可能になる。後者の機能を実現するためには、胆管壁が部分的に谷にヘルニア状に入る（ｈｅｒｎｉａｔｅ）ことが予想されるため、開放チャネルを維持するのに充分なピッチ、深さおよび／または角度で谷１８を形成する必要がある。比較的深い谷を有する別の利点はこのような構造はステントの胆管壁に対する機械的係合を向上させると予測される点である。
【００１３】
図９は図８に図示したステント供給装置の別の構成を示す。図９において、係合部材３２はたとえばポリマー等の材料から形成されたソックスとして構成され楔３６とステント１０との間の摩擦係合を提供する一助となる。
【００１４】
図１０Ａと図１０Ｂはステント１０に挿入されてその内側表面と係合するような大きさのシリンダ４２として構成された拡張可能なオス部材を含む別のステント供給装置４０を示す。拡張可能なシリンダ４２はその長さに沿って連続したスロット４４を有しこれに対応するパイ型の楔４６で選択的に充填されて図１０Ａに図示したような拡張状態にシリンダを押し広げるように構成される。たとえばオペレータが基端方向に抜去する等により楔４６をシリンダから除去するとシリンダは弾力的に収縮して図１０Ｂに図示したような小さいプロファイルの状態になる。シリンダはスロット４４に対向する位置にシリンダ４２の長さに沿って延在する一体蝶番４９を中心として弾力的に閉じる。ステントの内側表面に更に確実に係合させるためには、ステントの（内側表面で）螺旋状の山によって画成される山と谷に対応する外側表面４３に沿って螺旋状のうね４８をシリンダに設ける。
【００１５】
図１１Ａと図１１Ｂは別のステント供給装置５０を示し、この場合カテーテルはステント１０の内側表面と係合するように選択的に拡張可能かつ後退可能な可撓性スリーブ５２を含む。可撓性スリーブ５２は圧縮力（参照番号５４で示す）が端部に印加された時にステントの内側表面と係合する増大したプロファイルまで開大する。スリーブは収縮すると複数の襞５６又はしわを作成し、長手方向の圧縮力が印加されスリーブの長さが図１１Ａに図示してあるように圧縮されると半径方向外向きに拡大する。襞の個々の頂部はステントの内側表面の山及び谷と係合する役割をなして係合時における更なる保証を提供する。図１１Ｂに図示してあるように長手方向の張力５８が可撓性スリーブ５２に印加されると、スリーブの長さが増加し襞５６の大きさがこれに相応して減少する。この状態では、スリーブはステントの内側表面との係合が解除されてこれを開放することができる。本実施態様の構成及び動作は、本発明の譲受人に共通に譲受される米国特許第６，２４８，１１２号（Ｇａｍｂａｌｅ  ｅｔ  ａｌ．）に開示された供給装置と同様である。上記６，２４８，１１２号特許の開示は参照によりその全体が本明細書に含まれる。
【００１６】
図１２Ａと図１２Ｂは別の供給装置実施態様を示したもので、これはステントの内側表面によりステントを捕捉する大きな断面プロファイルと供給カテーテルからステントを開放する小さな断面プロファイルとを使用する。スプリング状の供給装置６０は選択的にトルクをかけて個別のコイル６４の直径が増加するか又は減少してステント１０の内側表面と係合する又はこれを開放するスプリング・コイル６２を使用する。スプリング６２はユーザが操作するカテーテル６９を経由して延出する先端のリードワイヤ６６と基端のリードワイヤ６８とに印加される対向捻り力によって撚れ力が印加される。スプリング型実施態様の利点は、コイル６４の螺旋構造がステントの螺旋状の山と一致して内側表面との確実な係合を提供する点である。
【００１７】
図１３Ａと図１３Ｂは別の供給装置７０を示したもので、これはカテーテル７６を貫通しステント１０に形成されたキー溝７４へと弾力的に延在するように構成することができる選択的に係合可能なキー７２を使用することでステントを捕捉しまた解剖学的構造を通って長手方向に移動させることができる。
【００１８】
本発明の上記の説明は単に本発明を図示することを意図したものであってその他の変更、実施態様、等価物は本発明の原理から逸脱することなく当業者には明らかであろうことが理解されるべきである。以上説明した本発明について請求を希望し特許法による保護を希望することは以下の通りである：
【図面の簡単な説明】
【００１９】
【図１】本発明によるステントの側面図でステントの一部が切り欠きになっている。
【図２】ステントの基端部の現時点で好適な実施例の拡大図である。
【図３】ステントの先端部の実施例である。
【図４】ステントの形成中にポリマー・チューブと係合する熱形成工具の上面図と側面図である。
【図５】ステントの形成中にポリマー・チューブと係合する熱形成工具の上面図と側面図である。
【図６】形成中の原料チューブの軸に沿ってみた略図で形成工具が原料チューブを貫通する小径マンドレルの外側表面に向かって原料チューブを圧着する方法を示す。
【図７】図１の線７〜７に沿ってみた本発明の実施例の先端の略図である。
【図８】本発明の一実施例によるステント供給装置の側面断面図である。
【図９】楔及び楔とステントの間の可撓性内筒を含むステント供給装置の側断面図である。
【図１０】図１０Ａと図１０Ｂはステントに挿入される拡張可能な螺旋スプリング部材を含むステント供給装置の等角図を拡張状態と折り畳み状態で示す。
【図１１】図１１Ａと図１１Ｂは拡張状態と折り畳み状態で示される拡張可能な可撓性スリーブ部材を含む別のステント供給装置の側面図を示す。
【図１２】図１２Ａと図１２Ｂは拡張状態と収縮状態で示される拡張されたスプリング・コイルを含む別のステント供給装置の等角図である。
【図１３】図１３Ａと図１３Ｂは選択的に係合可能なキーを使用する供給装置の各々上面図と側面断面図とを示す。
【図１】
2007500584.tif 000003
【図２】
2007500584.tif 000004
【図３】
2007500584.tif 000005
【図４】
2007500584.tif 000006
【図５】
2007500584.tif 000007
【図６】
2007500584.tif 000008
【図７】
2007500584.tif 000009
【図８】
2007500584.tif 000010
【図９】
2007500584.tif 000011
【図１０Ａ】
2007500584.tif 000012
【図１０Ｂ】
2007500584.tif 000013
【図１１Ａ】
2007500584.tif 000014
【図１１Ｂ】
2007500584.tif 000015
【図１２Ａ】
2007500584.tif 000016
【図１２Ｂ】
2007500584.tif 000017
【図１３Ａ】
2007500584.tif 000018
【図１３Ｂ】
2007500584.tif 000019
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
チューブ状ステントの供給装置であって、前記チューブ状ステントの内側表面と摩擦係合するように可撓性かつ選択的に拡張可能な外側表面と前記供給装置を通して挿入して拡張させる挿入可能な楔部材とを含む
ことを特徴とする供給装置。
【請求項２】
チューブ状ステントの供給装置であって、拡張可能なシリンダを含み、前記拡張可能なシリンダは、前記シリンダを大きなプロファイルの形状に拡張させて前記ステントの内側表面と摩擦係合させるために用いられる楔形状体を選択的に受け入れるためにその長さに沿ってスロットを有する
ことを特徴とする供給装置。
【請求項３】
チューブ状ステントの供給装置であって、前記チューブ状ステントの内側表面と摩擦係合するように選択的に拡張可能な可撓性スリーブである外側表面を含む
ことを特徴とする供給装置。
【請求項４】
チューブ状ステントの供給装置であって、前記チューブ状ステントの内側表面と摩擦係合するように選択的に拡張可能な螺旋状スプリングである外側表面を含む
ことを特徴とする供給装置。
【手続補正２】
【補正対象書類名】明細書
【補正対象項目名】００１０
【補正方法】変更
【補正の内容】
【００１０】
元となるチューブの基端部は山と谷を含むように形成されないようにすることが好ましい。ステントの基端部は図２に図示してあるような構成と寸法に形成し、端部は幾分角を取るか丸めてある。丸めは多数の方法で行なうことができ、たとえばチューブ内部に丸めた端部を有するマンドレルを入れチューブを回転させつつチューブを基端部を加熱して丸めた端部を形成する等が考えられる。別の可能なアプローチとしては、チューブを回転させつつ、基端部に対して保持されたハンダ鏝の尖端で基端部を丸めることである。更に別のアプローチは、チューブを回転させつつ、基端部に対してある角度で保持したナイフを用いることである。先端部には、同様な形状の尖端を提供し、図３に図示したような寸法形状とこれに代えて、尖端部１４に略先細の形状を有する変形型尖端部２４を提供して乳頭部を通り胆管内への進入を容易にするのが望ましい。先端部の尖端は、先端開口部２６（図７）を設けこれを細長く略楕円形の形状に構成することもできる。細長い先端開口部は管腔の横断面より大きな入口開口部を提供することによりステント内への胆汁の流入を容易にする。その目的のために、ではチューブの先端部に斜めカット２８を形成し細長い入口開口部２６を露出する。先端部尖端はまた参照番号２９で示したように対向する側面を傾斜面にするか、さもなければ何らか先細にすることもできる。
【手続補正３】
【補正対象書類名】明細書
【補正対象項目名】００１１
【補正方法】変更
【補正の内容】
【００１１】
ステントには先端部と基端部の一方又は両方にマーカー帯３２を装着することができる。マーカー帯３２は金又はその他の適切なＸ線不透過性材料から形成できる。環状の溝を端部１２，１４の一方又は両方に熱形成しＸ線不透過性マーカー帯をこれらの溝の中に固定する。山１６と溝１８は実質的にステントの全長にわたって形成されるか、又は選択された部分のみ、例えば、ステントの両端部付近に沿ってのみ形成しておき中間部は元のチューブ状のままにしておくことができる。逆に、中央部分にだけ山と谷を設けることも可能である。更には、山１６と溝１８はステントの長さに沿って散在する選択されたグループに配置して特定の必要性又は特定の解剖学的形状に合わせた剛性及び可撓性の特性を実現することができる。谷と山は間欠的に熱形成工具を抜去し適用することにより、完全な円環状のリング又は完全な螺旋状にするのではなく、円周方向に分割された部分となるように作成することが可能である。さらに、ステントに変化する可撓性を有する特性を提供するために、山のピッチと谷の深さをステントの任意の部分に沿って又はステントの全長に沿って変化させることが可能である。ステントは従来の押し込み技術によって、又はステントの基端と係合できるステント係合部材を備えた回転可能な供給カテーテルに装着することによってのいずれかにより、胆管内に配置できる。図８はステント１０の基端部内に受け入れられ楔３６により基端部で管腔内面に対して確実に拡張された拡張可能なカラーの形をしたステント係合部材３８を有するカテーテル３０を示す。ステント１０はカテーテル３０によって胆管内の選択された部位まで前進する。次に、楔３６が基端側に後退してステント１０から係合部材３８の摩擦係合を解除する。次に、ステント１０は従来の押し込み技術を用いて開放される。別の実施態様においてステントが胆管内に前進した際、別の供給装置（図示していない）を回転させて胆管の障害部分を通ってのステントの導入を容易にすることができる。この目的のために、ステントを螺子のように障害部分を通って前進させることができる螺旋状パスを画成するように山と谷を形成するのが好適である。ステントは所望の位置に配置されたら供給装置から開放することができる。
【手続補正４】
【補正対象書類名】明細書
【補正対象項目名】００１３
【補正方法】変更
【補正の内容】
【００１３】
図９は図８に図示したステント供給装置の別の構成を示す。図９において、係合部材３８はたとえばポリマー等の材料から形成されたソックスとして構成され楔３６とステント１０との間の摩擦係合を提供する一助となる。
【手続補正５】
【補正対象書類名】図面
【補正対象項目名】図１
【補正方法】変更
【補正の内容】
【図１】
2007500584.tif 000020
【手続補正６】
【補正対象書類名】図面
【補正対象項目名】図３
【補正方法】変更
【補正の内容】
【図３】
2007500584.tif 000021
【手続補正７】
【補正対象書類名】図面
【補正対象項目名】図８
【補正方法】変更
【補正の内容】
【図８】
2007500584.tif 000022
【国際調査報告】
2007500584.tif 000023